(57)【要約】【課題】  複数枚の扉部材を昇降させて装置枠の前上部に垂直姿勢のまま水平方向に重ね合わせて収納することにより、占有面積を小さくして収納しておけるようにする。【解決手段】  開口部２Ａを形成した門形の装置枠２に左右一対のガイドレール３を設け、左右ガイドレール３に係合する係合部材４を有しかつ垂直姿勢で上下方向に積み重ねて開口部２Ａを閉鎖する複数枚の扉部材５と、最下位の扉部材を昇降させて全扉部材を昇降させる昇降機構６とを備える。前記装置枠２は上部前面に複数枚の扉部材を垂直姿勢のまま水平方向に重ね合わせて収納する収納部２Ｂを設け、収納部２Ｂ内に左右ガイドレール３の上部が水平に近づく方向に延設されていて上昇してきて水平方向に変向された扉部材の後側に下位の扉部材を上昇させて水平方向に変向させる扉重ね手段７を設ける。【選択図】図１
2007138665.tif 000002
【特許請求の範囲】
【請求項１】
開口部（２Ａ）を形成した門形の装置枠（２）と、この装置枠（２）に設けた左右一対のガイドレール（３）と、この左右ガイドレール（３）に係合する係合部材（４）を有しかつ垂直姿勢で上下方向に積み重ねて前記開口部（２Ａ）を閉鎖する複数枚の扉部材（５）と、最下位の扉部材（５）を昇降させることにより全扉部材（５）を昇降させる昇降機構（６）とが備えられており、
前記装置枠（２）は上部前面に複数枚の扉部材（５）を垂直姿勢のまま水平方向に重ね合わせて収納する収納部（２Ｂ）が設けられ、この収納部（２Ｂ）内には、前記左右ガイドレール（３）の上部が水平に近づく方向に延設されていて上昇してきて水平方向に変向された扉部材（５）の後側に下位の扉部材（５）を上昇させて水平方向に変向させる扉重ね手段（７）が設けられていることを特徴とする昇降開閉式多段扉装置。
【請求項２】
前記左右各ガイドレール（３）には前後２本のレール部（３Ｆ、３Ｒ）が形成され、前レール部（３Ｆ）は前記収納部（２Ｂ）内の下側に延設され、後レール部（３Ｒ）は前記収納部（２Ｂ）内の上側に延設されており、前記最下位の扉部材（５）には後レール部（３Ｒ）と係合する上下係合部材（４Ｕ、４Ｄ）が設けられ、それより上側の扉部材（５）には後レール部（３Ｒ）と係合する上係合部材（４Ｕ）と前レール部（３Ｆ）と係合する下係合部材（４Ｄ）とが設けられており、
前記扉重ね手段（７）は、前記前後２本のレール部（３Ｆ、３Ｒ）を垂直部（３ａ）の上端から水平に近づく方向に曲がる屈曲部（３ｂ）によって形成されていることを特徴とする請求項１に記載の昇降開閉式多段扉装置。
【請求項３】
前記各扉部材（５）は、前記上下係合部材（４）が取り付けられていて開口部（２Ａ）を閉鎖するパネル（９）と、このパネル（９）の左右側部に配置されていてパネル（９）と上下同一長さの駆動部材（１０）とを有し、最上位の扉部材（５）はパネル（９）に駆動部材（１０）が固定され、最下位の扉部材（５）の駆動部材（１０）は昇降機構（６）で昇降可能にされており、
最上位より下方の扉部材（５）の駆動部材（１０）は、パネル（９）に対してパネル（（９）の上端から所定量突出した位置まで上下相対移動可能に連結されており、下位の扉部材（５）の駆動部材（１０）の相対移動寸法は、上位の扉部材（５）のそれより長く設定されていることを特徴とする請求項１又は２に記載の昇降開閉式多段扉装置。
【請求項４】
前記最上位の扉部材（５）より下方の扉部材（５）には、駆動部材（１０）に対するパネル（９）の上下相対移動に抵抗を与える抵抗付与手段（１１）が設けられていることを特徴とする請求項３に記載の昇降開閉式多段扉装置。
【請求項５】
前記昇降機構（６）は、最下位の扉部材（５）に連結された牽引索（１２）と、この牽引索（１２）を巻き掛けた回転体（１３）と、前記最下位の扉部材（５）にかかる重量を軽減するべく、扉部材（５）の昇降に伴う重量変化に対応して前記牽引索（１２）に引き上げ力を作用する重量軽減手段（１４）とが設けられていることを特徴とする請求項１〜４のいずれかひとつに記載の昇降開閉式多段扉装置。
【発明の詳細な説明】
【技術分野】
【０００１】
本発明は、複数枚の扉部材を昇降することにより開口部を開閉する昇降開閉式多段扉装置に関する。
【背景技術】
【０００２】
例えば、車庫のシャッタ装置、倉庫や工場等の搬入口のドックシェルタに利用できる昇降開閉式多段扉装置としては、建物の開口部に取り付けられたシャッターパネルを、開口両側の垂直レールと開口上端から屋根下側へ向かう水平レールとを連続して設けた左右一対の案内レールに沿って開閉するようにしたシャッター扉がある（例えば、特許文献１参照。）。
【特許文献１】特開２００２−３５７０６２号公報
【発明の開示】
【発明が解決しようとする課題】
【０００３】
前記従来技術は、複数枚のシャッターパネルを直列に連結したまま垂直レールから水平レールへ移動させるため、開口部近傍の天井にシャッターパネルを直列水平状態に収納すると、その占有面積が大きくなり、装置が大型になるとともに、天井に照明器具を設置するのが困難になる等の問題を生じる。
本発明は、このような従来技術の問題点を解決できるようにした昇降開閉式多段扉装置を提供することを目的とする。
本発明は、開口部を開放するときに、複数枚の扉部材を昇降させて装置枠の前上部に垂直姿勢のまま水平方向に重ね合わせて収納することにより、占有面積を小さくして収納しておけるようにした昇降開閉式多段扉装置を提供することを目的とする。
【課題を解決するための手段】
【０００４】
本発明における課題解決のための具体的手段は、次の通りである。
第１に、開口部２Ａを形成した門形の装置枠２と、この装置枠２に設けた左右一対のガイドレール３と、この左右ガイドレール３に係合する係合部材４を有しかつ垂直姿勢で上下方向に積み重ねて前記開口部２Ａを閉鎖する複数枚の扉部材５と、最下位の扉部材５を昇降させることにより全扉部材５を昇降させる昇降機構６とが備えられており、
前記装置枠２は上部前面に複数枚の扉部材５を垂直姿勢のまま水平方向に重ね合わせて収納する収納部２Ｂが設けられ、この収納部２Ｂ内には、前記左右ガイドレール３の上部が水平に近づく方向に延設されていて上昇してきて水平方向に変向された扉部材５の後側に下位の扉部材５を上昇させて水平方向に変向させる扉重ね手段７が設けられていることである。
【０００５】
第２に、前記左右各ガイドレール３には前後２本のレール部３Ｆ、３Ｒが形成され、前レール部３Ｆは前記収納部２Ｂ内の下側に延設され、後レール部３Ｒは前記収納部２Ｂ内の上側に延設されており、前記最下位の扉部材５には後レール部３Ｒと係合する上下係合部材４Ｕ、４Ｄが設けられ、それより上側の扉部材５には後レール部３Ｒと係合する上係合部材４Ｕと前レール部３Ｆと係合する下係合部材４Ｄとが設けられており、
前記扉重ね手段７は、前記前後２本のレール部３Ｆ、３Ｒを垂直部３ａの上端から水平に近づく方向に曲がる屈曲部３ｂによって形成されていることである。
【０００６】
第３に、前記各扉部材５は、前記上下係合部材４が取り付けられていて開口部２Ａを閉鎖するパネル９と、このパネル９の左右側部に配置されていてパネル９と上下同一長さの駆動部材１０とを有し、最上位の扉部材５はパネル９に駆動部材１０が固定され、最下位の扉部材５の駆動部材１０は昇降機構６で昇降可能にされており、
最上位より下方の扉部材５の駆動部材１０は、パネル９に対してパネル９の上端から所定量突出した位置まで上下相対移動可能に連結されており、下位の扉部材５の駆動部材１０の相対移動寸法は、上位の扉部材５のそれより長く設定されていることである。
【０００７】
第４に、前記最上位の扉部材５より下方の扉部材５には、駆動部材１０に対するパネル９の上下相対移動に抵抗を与える抵抗付与手段１１が設けられていることである。
第５に、前記昇降機構６は、最下位の扉部材５に連結された牽引索１２と、この牽引索１２を巻き掛けた回転体１３と、前記最下位の扉部材５にかかる重量を軽減するべく、扉部材５の昇降に伴う重量変化に対応して前記牽引索１２に引き上げ力を作用する重量軽減手段１４とが設けられていることである。
前述した具体的手段により次のような機能を有する。
【０００８】
複数枚の扉部材５は、上昇して開口部２Ａを開放するとき、左右ガイドレール３の上部の扉重ね手段７によって、上昇してきて水平方向に変向された扉部材５の後側に下位の扉部材５を上昇させて水平方向に変向させるので、複数枚の扉部材５を垂直姿勢のまま水平方向に重ね合わて収納部２Ｂに収納することができ、占有面積を小さくして収納しておける。
左右各ガイドレール３の前後２本のレール部３Ｆ、３Ｒと、扉部材５に設けた上下係合部材４Ｕ、４Ｄとの係合により、扉部材５を垂直姿勢のまま昇降及び水平移動ができ、前後２本のレール部３Ｆ、３Ｒの屈曲部３ｂによって形成される扉重ね手段７による、扉部材５の水平方向重ね合わが可能になる。
【０００９】
最上位より下方の扉部材５の駆動部材１０を、パネル９に対してパネル９の上端から所定量突出した位置まで上下相対移動可能に連結して、下位の扉部材５の駆動部材１０の相対移動寸法を上位の扉部材５のそれより長く設定することにより、扉部材５を昇降する際にパネル９相互間に隙間を形成することができ、収納部２Ｂへの出入り時にパネル９相互の接触・こじれ等を減少できる。
抵抗付与手段１１によって、駆動部材１０に対するパネル９の上下相対移動が鈍くなり、収納部２Ｂから下降する際にパネル９の落下を防止できる。
【００１０】
重量軽減手段１４によって、最下位の扉部材５にかかる重量が軽減され、軽い手動動作で、または、小型のモータ等で、簡単かつ容易に扉部材５を昇降させることができる。
【発明の効果】
【００１１】
本発明によれば、複数枚の扉部材５を垂直姿勢のまま水平方向に重ね合わて収納部２Ｂに収納することができ、占有面積を小さくして収納しておける。
【発明を実施するための最良の形態】
【００１２】
以下、本発明の実施の形態を図面に基づいて説明する。
図１〜８において、１はドックシェルタ又は断熱シャッタとして使用される昇降開閉式多段扉装置であり、大別して、装置枠２とガイドレール３と扉部材５と昇降機構６とを備えている。
前記装置枠２は、図１、３〜５に示すように、建屋の開口周囲の壁の前面に固定される左右一対の支持支柱１７の前面に、断面Ｌ字状の側枠材１８を固定し、この左右側枠材１８の上部に収納部２Ｂを形成するボックス１９を設けて正面視門形に形成されており、前記支持支柱１７とボックス１９で開口部２Ａを区画形成している。
【００１３】
装置枠２の前記左右側枠材１８の内面には押出成形等で形成されたガイドレール３が左右対向状に固定されている。この左右各ガイドレール３は側枠材１８に沿った垂直部３ａと、この垂直部３ａの上端から前方へ曲がってボックス１９内に入る屈曲部３ｂと、この屈曲部３ｂの先端からさらに水平方向に変向された水平部３ｃとを有し、この水平部３ｃは屈曲部３ｂの先端から僅かに上向き傾斜している。前記屈曲部３ｂは後述する扉重ね手段７を構成する。
前記左右各ガイドレール３は垂直部３ａにおいて、前後２本のレール部３Ｆ、３Ｒが一体的に形成されており、前後レール部３Ｆ、３Ｒの上部は屈曲部３ｂから水平部３ｃにかけて上下に所要間隔をおいて分離し、前レール部３Ｆは前記収納部２Ｂ内の下側に延設され、後レール部３Ｒは前記収納部２Ｂ内の上側に延設されている。
【００１４】
前記扉部材５は２枚以上の複数枚で前記開口部２Ａを閉鎖可能になっている。実施形態では扉部材５ａ〜５ｆの６枚で構成されており、各扉部材５は開口部２Ａを実質的に閉鎖するパネル９と、このパネル９の左右側部に配置された駆動部材１０と、パネル９から左右に突出した上下係合部材４Ｕ、４Ｄとを有している。
最下位の扉部材５ａの駆動部材１０は昇降機構６に連結されていて、最下位の駆動部材１０の昇降で全扉部材５の駆動部材１０が昇降し、全扉部材５のパネル９で開口部２Ａを開閉するように構成されている。
【００１５】
前記左右の上下係合部材４Ｕ、４Ｄは、パネル９の側面に固着される金属板２０に上下一対の軸２１を突設し、上下各軸２１にコロ２２を軸受部材を介して嵌合支持して構成されており、前記上下各コロ２２が左右ガイドレール３の前後レール部３Ｆ、３Ｒに移動自在に係合している。なお、各パネル９の側面には前後対称位置に軸２１と平行にコロ２２を持たないガイドピン２３が駆動部材１０案内用に設けられている。
最下位の扉部材５ａは上下係合部材４Ｕ、４Ｄが共に後レール部３Ｒに係合しているのに対して、それより上位の扉部材５ｂ〜５ｆは、上係合部材４Ｕが後レール部３Ｒと係合し、下係合部材４Ｄが前レール部３Ｆと係合しており、またそのように係合するように、上下係合部材４Ｕ、４Ｄは前後にずれて配置されている。
【００１６】
各扉部材５は上下係合部材４Ｕ、４Ｄがガイドレール３に係合している状態で表面が前後に向く垂直姿勢になっており、この扉部材５の垂直姿勢は、開口部２Ａを開放するために収納部２Ｂに収納されるときも維持される。
前記駆動部材１０は合成樹脂で形成されていて、前後端がパネル９の表面から突出するように前後幅（厚さ）がパネル９より広くなっており、各扉部材５は収納時に駆動部材１０同士は接触するが、パネル９が接触しないようにしている。駆動部材１０の上下長さはパネル９と同一である。
【００１７】
最上位の扉部材５ｆにおいては、駆動部材１０は上下軸２１の貫通によりパネル９に対して相対移動しないように、即ち、固定状態に装着されている。これに対して、最上位の扉部材５ｆより下方の扉部材５ａ〜５ｅは、駆動部材１０の上下軸２１及びガイドピン２３の貫通孔が上下方向の長孔１０ａとなっており、そのため駆動部材１０がパネル９に対して相対移動可能に装着されている。
前記下方の扉部材５ａ〜５ｅの長孔１０ａは、扉部材５ｅにおいて寸法Ｈだけ相対移動を可能にしており、扉部材５ｄでは寸法２Ｈ、最下位の扉部材５ａでは寸法５Ｈとなっており、各扉部材５ａ〜５ｅではその各長孔１０ａの相対移動可能寸法ｎＨ分だけ、駆動部材１０はパネル９に対してパネル９の上端から所定量突出した位置まで上下相対移動可能になる。
【００１８】
従って、扉部材５ｅの駆動部材１０を持ち上げると、駆動部材１０の上端はパネル９から突出して最上位の扉部材５ｆの駆動部材１０を押し上げ、扉部材５ｅのパネル９と扉部材５ｆのパネル９との間には寸法Ｈ分の間隙が形成されることになる。
扉部材５ａでは駆動部材１０の上端はパネル９から寸法５Ｈ分突出してその上位の扉部材５ｂの駆動部材１０に当接するが、扉部材５ｂでは駆動部材１０が寸法４Ｈ分相対移動してからパネル９を持ち上げることになり、扉部材５ａのパネル９と扉部材５ｂのパネル９との間にも寸法Ｈ分の間隙が形成されることになる。
【００１９】
そして扉部材５ａを上昇動作させて開口部２Ａを開放するとき、全扉部材５のパネル９間にはそれぞれ寸法Ｈ分の間隙が形成され、パネル９同士の接触が回避される。扉部材５ａを下降動作するときも同様に寸法Ｈ分の間隙が形成される。
前記長孔１０ａによる相対移動可能寸法Ｈは、パネル９の前後幅によって異なり、昇降時にパネル９同士の接触が回避される寸法であればよく、また、各パネル９間に形成される間隙は同一寸法でなくともよい。
よって、最上位より下方の扉部材５の駆動部材１０は、それが取り付けられるパネル９に対して、パネル９の上端から所定量突出した位置まで上下相対移動可能に連結されていて、下位の扉部材５の駆動部材１０の相対移動寸法が、上位の扉部材５のそれより長く設定されていれば、全駆動部材１０を接触状態で昇降するとき、全パネル９間に間隙を形成することができる。
【００２０】
前記パネル９と駆動部材１０の上下相対移動は、扉部材５の上昇時は何ら問題ないが、収納部２Ｂから下降するとき、落下を伴うガタつきを生じる可能性があり、そのために、前記最上位の扉部材５ｆより下方の扉部材５ａ〜５ｅには、駆動部材１０に対するパネル９の上下相対移動に抵抗を与える抵抗付与手段１１が設けられている。
この抵抗付与手段１１は、図５、７、８に示すように、駆動部材１０とコロ２２との間で軸２１に嵌装したコイルスプリングで構成されており、このコイルスプリングの弾発で駆動部材１０をパネル９の金属板２０に弾圧しており、両者間の摩擦抵抗でパネル９と駆動部材１０のズレ動きを規制している。
【００２１】
前記駆動部材１０は、抵抗付与手段１１の作用によって、その自重だけではパネル９に対して相対移動することはなく、従って、収納部２Ｂへ移動したときも収納部２Ｂから出るときも、下方側の駆動部材１０はパネル９に対して上方へずれた位置となり、先行して収納部２Ｂから垂直部３ａへ出た扉部材５の上方に後行の扉部材５が乗り移るときには、前後の駆動部材１０の高さ関係は収納部２Ｂへ移動するときと同一となり、収納部２Ｂからスムーズに出ることができる。
なお、総ての扉部材５が収納部２Ｂから垂直部３ａへ出てから昇降機構６を下降動作させると、最上位の扉部材５ｆの重量で全駆動部材１０が下降を開始し、パネル９間の間隙を無くしながら、そして順次上方側の扉部材５の重量が下方に加わりながら、全扉部材５を垂直姿勢で直列させ、開口部２Ａを閉鎖する。
【００２２】
前記扉部材５ａの駆動部材１０の突き上げによって上昇される上方の扉部材５は、上下係合部材４Ｕ、４Ｄがの垂直部３ａから屈曲部３ｂに入ることにより、順次垂直姿勢のまま垂直移動から水平に近づく方向に移動することになり、上位の扉部材５が屈曲部３ｂに入ると、その後側に次に上昇されてくる下位の扉部材５が水平に近づく方向に変向されてくる。
前記屈曲部３ｂは扉部材５を垂直姿勢のまま水平方向に重ね合わせる扉重ね手段７となっており、前記扉部材５の重ね合わせが連続して行われることにより、水平部３ｃには複数枚の扉部材５が収納される。なお、この水平部３ｃは先端から屈曲部３ｂ側へ下向き傾斜しているので、扉部材５は自重によって収納部２Ｂから出て行く。
【００２３】
最下位の扉部材５ａは上下係合部材４Ｕ、４Ｄが共に後レール部３Ｒに係合していて、下係合部材４Ｄが前レール部３Ｆに侵入しないようになっており、後レール部３Ｒの垂直部３ａの上端で収納状態となる。
前記昇降機構６は、最下位の扉部材５に連結された牽引索１２と、この牽引索１２を巻き掛けた回転体１３と、この回転体１３を駆動する駆動装置２４と、前記最下位の扉部材５ａにかかる重量を軽減するべく、扉部材５の昇降に伴う重量変化に対応して前記牽引索１２に引き上げ力を作用する重量軽減手段１４とを有する。
【００２４】
図１〜７において、左右側枠材１８の上部に回転軸２５が支持され、この回転軸２５にスプロケット２６が設けられて回転体１３を構成しており、牽引索１２はチェーンで形成されていて、前記スプロケット２６に巻き掛けられており、牽引索１２の下端は最下位の扉部材５ａの駆動部材１０にピン２７を介して連結されている。
前記駆動装置２４は減速機付きモータで、チェーン伝動手段２８を介して回転軸２５を駆動可能にしており、扉部材５の昇降を電動で行うように構成されている。
図３〜５において、前記重量軽減手段１４は扉部材５と同数組（６組）のバランサ３０を有しており、回転軸２５の両端に振り分け配置されており、各組のバランサ３０は、回転軸２５に設けたスプロケット３１と、このスプロケット３１に巻き掛けられたチェーン３２と、このチェーン３２の一端に設けら分銅３３とを有している。
【００２５】
バランサ３０は回転軸２５に扉部材５の重量によって加わるトルクと反対方向のトルクを付与するものであり、分銅３３の総重量は扉部材５の総重量よりも軽い。
全バランサ３０の分銅３３の位置が異なっており、扉部材５を開口部２Ａを閉鎖する状態にしたとき、扉部材５ａ用のバランサ３０ａの分銅３３が最も高い位置にあり、扉部材５ｆのバランサ３０ｆの分銅３３が最も低い位置にある。
図３の閉鎖状態から扉部材５を上昇するとき、扉部材５ａを引き上げる力は扉部材５の総重量よりも分銅３３の総重量分だけ軽くなり、扉部材５ｆが収納部２Ｂへ移行して、その重量が下位の扉部材５にかからなくなると、扉部材５ｆの分銅３３が床に着いて、バランサ３０ｆによる回転軸２５への前記反対方向トルクがなくなる。
【００２６】
下位の扉部材５も同様に、収納部２Ｂへ移行するに従って、それ用の分銅３３が床に着いて、バランサ３０による回転軸２５への反対方向トルクがなくなる。但し、扉部材５ａ用の分銅３３は床に着くことはない。
また、開口部２Ａを開放から閉鎖するときは前述とは逆に、扉部材５が収納部２Ｂ内の２本のレール部３Ｆ、３Ｒの水平部３ｃ及び屈曲部３ｂによって担持されている状態から垂直部３ａへ移行するとき、その扉部材５用の分銅３３が床から離れて回転軸２５に反対方向のトルクを加える。
【００２７】
前記重量軽減手段１４を設けることにより、扉部材５の昇降動力は軽減されることになり、駆動装置２４を小型化することができる。従って、扉部材５を手動で昇降させる場合は、駆動装置２４を設けることが好ましい。
前記昇降開閉式多段扉装置１には、開口部２Ａでの密閉性を確保するために、各部にシールが設けられている。開口部２Ａの左右側部での密閉性を図るために、左右支持支柱１７の前面に扉部材５と当接する横シール体３５が設けられ、開口部２Ａの下部での密閉性を図るために、最下位の扉部材５ａの下縁に扉シール体３６が設けられている。また、その他の扉部材５の下縁又は上縁に扉部材５相互の密閉性をより確実にするためのシール体を設けてもよい。
【００２８】
前記構成の昇降開閉式多段扉装置１の開閉動作を説明する。
図１、３に示す開口部２Ａ閉鎖状態から、駆動装置２４を介して回転体１３を駆動し、牽引索１２を介して最下位の扉部材５ａの駆動部材１０を上昇する。全扉部材５には重量軽減手段１４により分銅３３の反作用力が作用しているので、軽い力で引き上げられる。
閉鎖状態の６枚の扉部材５は、パネル９の側部の駆動部材１０が総て上下に接触した状態にあり、牽引索１２によって最下位の扉部材５ａの駆動部材１０を上昇すると、６枚の扉部材５の駆動部材１０は一斉に上昇し、パネル９と駆動部材１０とが一体となっている最上位の扉部材５ｆのみを上昇させ、それより下方の扉部材５のパネル９は不動のままとなる。
【００２９】
扉部材５の駆動部材１０を寸法Ｈだけ上昇すると、２位の扉部材５ｅでは駆動部材１０がパネル９と長孔１０ａの範囲内の相対移動が完了し、駆動部材１０がパネル９を同伴移動する。このとき、駆動部材１０がパネル９の上端から寸法Ｈだけ突出するので、最上位の扉部材５ｆのパネル９と２位の扉部材５ｅのパネル９との間には寸法Ｈの間隙が形成されることになる。
さらに扉部材５の駆動部材１０を寸法Ｈだけ上昇すると、２位の扉部材５ｅのパネル９と３位の扉部材５ｄのパネル９との間には寸法Ｈの間隙が形成され、寸法５Ｈ上昇すると、全扉部材５間にそれぞれ寸法Ｈの間隙が形成される。
【００３０】
そして、全扉部材５のパネル９と駆動部材１０とが一体となって上昇すると、最上位の扉部材５ｆが先ず垂直姿勢のまま、ガイドレール３の垂直部３ａから扉重ね手段７の屈曲部３ｂに移行する。
最上位の扉部材５ｆが屈曲部３ｂに移行したのに引き続いて扉部材５ｅが屈曲部３ｂに移行し、後続の扉部材５ｄとの直列状態を断ち切って垂直姿勢のまま最上位の扉部材５ｆの後側に平行に付く。
扉部材５ａのさらなる上昇に伴って、扉部材５ｄ以降の後続のものも扉部材５ｄと同様に、垂直方向の移動から水平に近い方向の移動に変向されて、垂直姿勢のまま前上方へ移動し、後行の扉部材５が先行の扉部材５を押動して、扉部材５ｆから順次収納部２Ｂ内に収納される。
【００３１】
最下位の扉部材５ａがガイドレール３の垂直部３ａの最上位に達したとき、開口部２Ａは完全開放状態になる。また、最上位の扉部材５ｆ以外の扉部材５の駆動部材１０は、抵抗付与手段１１によってパネル９に対して上方へずれた状態のままになる。
開口部２Ａ開放状態から閉鎖するとき、駆動装置２４を逆転させると最下位の扉部材５ａが下降し、この扉部材５ａが屈曲部３ｂに位置している扉部材５ｂの下端より下側になると、扉部材５ｂが下降を開始して屈曲部３ｂから垂直部３ａに入り、扉部材５ａと直列状態で下降する。
【００３２】
収納部２Ｂ内に収納されていた上位の扉部材５は、水平部３ｃの下向き傾斜と自重作用によって垂直姿勢のまま水平部３ｃから屈曲部３ｂへ移行し、さらに垂直部３ａに入り、最下位の扉部材５ａが床に着く。
この最下位の扉部材５ａが床に着いた後も最上位の扉部材５ｆの重量により全駆動部材１０の下降が続き、寸法Ｈだけ下降すると扉部材５ｆのパネル９が次位の扉部材５ｅのパネル９と接触し、順次寸法Ｈの下降によって上位の扉部材５のパネル９が下位の扉部材５のパネル９と直列するように密着し、各パネル９間の間隙が解消され、全扉部材５が直列して間隙のない状態で開口部２Ａを閉鎖する。
【００３３】
なお、本発明は前記実施形態における各部材の形状及びそれぞれの前後・左右・上下の位置関係は、図１〜８に示すように構成することが最良である。しかし、前記実施形態に限定されるものではなく、部材、構成を種々変形したり、組み合わせを変更したりすることもできる。
例えば、昇降開閉式多段扉装置１の前後方向を逆にしたり、昇降機構６は牽引索１２を巻き取りロープにしたり、手動で最下位の扉部材５を押し上げ・引き下げるようにしたり、扉重ね手段７は屈曲部３ｂを円弧形状にしたりしてもよい。
【００３４】
また、駆動部材１０の上下端面は角ばっているが、この角部を円弧状に面取りし、扉部材５が屈曲部３ｂから垂直部３ａへガタつきのないスムーズな移行ができるようにしてもよい。
【図面の簡単な説明】
【００３５】
【図１】本発明の実施の形態を示す一部断面側面図である。
【図２】上部の断面側面図である。
【図３】全体正面図である。
【図４】断面平面図である。
【図５】上部の要部を示す断面平面図である。
【図６】全扉部材の側面図である。
【図７】扉部材の端部の正面図である。
【図８】扉部材の端部の平面図である。
【符号の説明】
【００３６】
１        昇降開閉式多段扉装置
２        装置枠
２Ａ      開口部
２Ｂ      収納部
３        ガイドレール
３Ｆ      前レール部
３Ｒ      後レール部
４        係合部材
５        扉部材
６        昇降機構
７        扉重ね手段
９        パネル
１０      駆動部材
１１      抵抗付与手段
１２      牽引索
１３      回転体
１４      重量軽減手段  
【図１】
2007138665.tif 000003
【図２】
2007138665.tif 000004
【図３】
2007138665.tif 000005
【図４】
2007138665.tif 000006
【図５】
2007138665.tif 000007
【図６】
2007138665.tif 000008
【図７】
2007138665.tif 000009
【図８】
2007138665.tif 000010